(57)【特許請求の範囲】
【請求項１】
対向して配された一対の支持壁部と、該一対の支持壁部の上端間に掛け渡され、支持壁部の長手方向に沿って複数並設された断面逆Ｕ字状の小刃とを具備し、駆動機構に着脱可能な、往復動式電気かみそりの内刃において、前記一対の支持壁部間には、その長手方向の一端側から他端側にかけて前記小刃のみが掛け渡されていることを特徴とする往復動式電気かみそりの内刃。
【請求項２】
対向して配された一対の支持壁部と、該一対の支持壁部の上端間に掛け渡され、支持壁部の長手方向に沿って複数並設された断面逆Ｕ字状の小刃とを具備する往復動式電気かみそりの内刃において、前記一対の支持壁部間には、その長手方向の一端側から他端側にかけて前記小刃のみが掛け渡され、
前記一対の支持壁部は、屈曲部が断面逆Ｕ字状となるように２つに屈曲形成された金属板体の対向する一対の延出部分で形成され、前記小刃は、前記屈曲部に屈曲部の長手方向を横切るスリットを間隔を空けて複数開口して形成され、
前記一対の支持壁部のそれぞれの下端部が駆動機構と連結されることを特徴とする往復動式電気かみそりの内刃。
【請求項３】
対向して配された一対の支持壁部と、該一対の支持壁部の上端間に掛け渡され、支持壁部の長手方向に沿って複数並設された断面逆Ｕ字状の小刃とを具備する往復動式電気かみそりの内刃において、前記一対の支持壁部間には、その長手方向の一端側から他端側にかけて前記小刃および前記小刃と同じ断面形状であって前記小刃の厚さよりも肉厚に形成された連結アーチのみが並設して掛け渡されていることを特徴とする往復動式電気かみそりの内刃。
【請求項４】
対向して配された一対の支持壁部と、該一対の支持壁部の上端間に掛け渡され、支持壁部の長手方向に沿って複数並設された断面逆Ｕ字状の小刃とを具備する往復動式電気かみそりの内刃において、前記一対の支持壁部間には、その長手方向の一端側から他端側にかけて前記小刃および前記小刃と同じ断面形状であって前記小刃の厚さよりも肉厚に形成された連結アーチのみが並設して掛け渡され、
前記小刃と前記連結アーチとが一つの金属板体から製造されることを特徴とする往復動式電気かみそりの内刃。
【請求項５】
前記一対の支持壁部と前記連結アーチは合成樹脂材料を用いて一体成形されると共に、前記小刃は前記一対の支持壁部間にインサート成形により取り付けられていることを特徴とする請求項３記載の往復動式電気かみそりの内刃。
【請求項６】
前記小刃の内面のコーナーは面取りされていることを特徴とする請求項１、２、３、４または５記載の往復動式電気かみそりの内刃。
【請求項７】
請求項１、２、３、４、５または６記載の往復動式電気かみそりの内刃と、内面が該内刃の外面と接触するように断面逆Ｕ字状に湾曲されて配された網状外刃と、該網状外刃に対して前記内刃を前記支持壁部の長手方向に沿って往復動させる駆動機構とを具備することを特徴とする往復動式電気かみそり。
【発明の詳細な説明】
【０００１】
【発明の属する技術分野】
本発明は、往復動式の電気かみそりの内刃とそれを用いた往復動式の電気かみそりに関する。
【０００２】
【従来の技術】
従来の往復動式電気かみそりの内刃について説明する。
最初に、一般的な往復動式電気かみそりの全体構成について図１９を用いて説明する。
電気かみそり１０は、薄い金属板を用いて形成されると共に、網目状の開口を有する網状外刃１２と、この外刃１２を湾曲した状態で保持する保持枠１４と、外刃１２の内面と接触しつつ往復動して髭を剃る内刃１６と、内部に電源部（本例では一例として電池）１８、電動モータ２０、表面にオン・オフスイッチ２２が取り付けられた本体ケース２４と、本体ケース２４の上面に設けられ、電動モータ２０の出力軸２６の回転運動を直線運動に変換して内刃１６を往復動させる駆動機構２８とから構成されている。また、保持枠１４は外刃１２を湾曲して保持した状態で、内刃１６を覆うように本体ケース２４の上面に着脱自在に取り付けできる。着脱機構は、一例として保持枠１４の両側面に設けられたフック片３０を本体ケース２４の上面の両側に設けられた係合溝３２に係合させるものである。
【０００３】
次に、内刃１６の詳細な構成について説明する。
内刃１６は対向して配された一対の支持壁部１６ａと、一対の支持壁部１６ａの上端間に掛け渡され、支持壁部１６ａの長手方向Ａに沿って複数並設された断面逆Ｕ字状の小刃１６ｂとから成る。
内刃１６の製造方法の一具体例は、金属板体を断面逆Ｕ字状に屈曲し、この金属板体の屈曲部Ｂに、屈曲部Ｂの長手方向Ａを横切るスリット１６ｃを間隔を空けて複数開口して、屈曲部Ｂにおいて残った逆Ｕ字状の薄肉部が小刃１６ｂとして形成される。また、金属板体の屈曲された先端側に位置する一対の延出部分Ｃ、すなわち屈曲部以外の部位は互いに対向する一対の支持壁部１６ａとして形成されている。
【０００４】
そして内刃１６の一対の支持壁部１６ａには、図１９に示すように内刃１６の形状を断面逆Ｕ字状に保持するための連結ピン３４や、また図２０に示すように電動モータ２０の出力軸２６に取り付けられて駆動機構２８の一部を構成する偏心ピン３６と係合するためのスリット３８が下面に設けられた合成樹脂製の連結ブロック４０等が取り付けられ、一対の支持壁部１６ａは相互に連結された状態となっている。
【０００５】
【発明が解決しようとする課題】
しかしながら、上記の従来の往復動式電気かみそりの内刃には次の様な課題が有る。
剃られた髭は逆Ｕ字状の内刃１６の内部に入り込み、本体ケース２４の上面に溜まる。
この髭の掃除をする場合には、本体ケース２４の上面に溜まった髭をブラシ等により払うと共に、内刃１６の内面、すなわち小刃１６ｂの内面や一対の支持壁部１６ａの対向する内面にも付着するために、この付着した髭もブラシで払う必要がある。
しかしながら、一対の支持壁部１６ａ間に取り付けられた上記連結ピン３４や連結ブロック４０が邪魔になってブラシを支持壁部１６ａに沿って移動させることができず、ブラシによる小刃１６ｂの内面および一対の支持壁部１６ａの対向する内面の清掃が行いにくく、清掃に時間がかかるという課題が生じていた。
【０００６】
従って、本発明は上記課題を解決すべくなされ、その目的とするところは、内刃内部の清掃を行いやすい往復動式電気かみそりの内刃と往復動式電気かみそりを提供することにある。
【０００７】
【課題を解決するための手段】
上記目的を達成するために、本発明に係る請求項１記載の往復動式電気かみそりの内刃は、対向して配された一対の支持壁部と、該一対の支持壁部の上端間に掛け渡され、支持壁部の長手方向に沿って複数並設された断面逆Ｕ字状の小刃とを具備し、駆動機構に着脱可能な往復動式電気かみそりの内刃において、前記一対の支持壁部間には、その長手方向の一端側から他端側にかけて前記小刃のみが掛け渡されていることを特徴とする。
この構成によれば、内刃の内面、すなわち小刃の内面や一対の支持壁部の対向する内面に付着した髭をブラシで払って清掃する場合に、全体として屈曲した外形を有する内刃の内部空間内でブラシを自由に移動させながら内刃の一端側から他端側にかけて連続して清掃できるために、従来のように連結ピンや連結ブロックがあった場合にはこれらが邪魔をしてブラシを当てにくかった部位も簡単、かつ確実に清掃が行える。
【０００８】
また、内刃の具体的な構造は、前記一対の支持壁部は、屈曲部が断面逆Ｕ字状となるように２つに屈曲形成された金属板体の対向する一対の延出部分で形成され、前記小刃は、前記屈曲部に屈曲部の長手方向を横切るスリットを間隔を空けて複数開口して形成され、前記一対の支持壁部のそれぞれの下端部が駆動機構と連結されている。
【０００９】
また、本発明に係る請求項３記載の往復動式電気かみそりの内刃は、対向して配された一対の支持壁部と、該一対の支持壁部の上端間に掛け渡され、支持壁部の長手方向に沿って複数並設された断面逆Ｕ字状の小刃とを具備する往復動式電気かみそりの内刃において、前記一対の支持壁部間には、その長手方向の一端側から他端側にかけて前記小刃および前記小刃と同じ断面形状であって前記小刃の厚さよりも肉厚に形成された連結アーチのみが並設して掛け渡されていることを特徴とする。
この構成によれば、一対の支持壁部間には小刃以外に連結アーチが掛け渡されているため、小刃のみの場合に比べて内刃全体の強度を向上させることができる。また、前記小刃と前記連結アーチとが一つの金属板体から製造されることを特徴とする。
【００１０】
また、前記一対の支持壁部と前記連結アーチは合成樹脂材料を用いて一体成形されると共に、前記小刃は前記一対の支持壁部間にインサート成形により取り付ける構造とすると、製造が容易に行え、また連結アーチにより内刃全体の強度の向上も図れる。
【００１１】
また、上記の往復動式電気かみそりの内刃において、外刃とによる髭の切断に関係のない前記小刃の内面のコーナーを面取りすることによって、ブラシが当たってもひっかかることがなくなり、スムーズに清掃が行える。
【００１２】
また、本発明に係る請求項７記載の往復動式電気かみそりは、上述した往復動式電気かみそりの内刃と、内面が該内刃の外面と接触するように断面逆Ｕ字状に湾曲されて配された網状外刃と、該網状外刃に対して前記内刃を前記支持壁部の長手方向に沿って往復動させる駆動機構とを具備することを特徴とする。
この構成により、内刃に付着した髭の清掃が簡単な往復動式電気かみそりを提供できる。
【００１３】
【発明の実施の形態】
以下、本発明に係る往復動式電気かみそりの内刃の好適な実施の形態を添付図面に基づいて詳細に説明する。なお、従来例と同じ構成については同じ符号を付し、詳細な説明は省略する。
（第１の実施の形態）
まず、往復動式電気かみそり５０の全体構成についてその概要を図１を用いて説明する。
電気かみそり５０は、網目状の開口を有し、薄い金属板で形成された網状外刃１２と、この外刃１２を湾曲した状態で保持する保持枠１４と、外刃１２の内面と接触しつつ往復動して髭を剃る内刃５２と、電源部の一例としての電池１８や電動モータ２０等が内蔵され、オン・オフスイッチ（不図示）が取り付けられた本体ケース２４と、本体ケース２４の上面から突出し、電動モータ２０の出力軸２６と内刃５２とを連結し、電動モータ２０の回転運動を内刃５２に対する往復運動に変換する駆動機構２８とから構成されている。
【００１４】
また、保持枠１４は外刃１２を湾曲して保持した状態で、内刃５２を覆うように本体ケース２４の上面に着脱自在に取り付けできる。
駆動機構２８は種々の構造を採用し得るが、本実施の形態では一例として、振動子５４と、振動子５４の上面に設けられ、内刃５２が連結される連結台５６と、振動子５４の下面に設けられた第１シャフト５８と電動モータ２０の出力軸２６に取り付けられた偏心ピン３６とを連結するリンク材６０とで構成され、出力軸２６の回転運動をリンク材６０を介して振動子５４の往復直線運動に変換している。
【００１５】
この外刃１２が取り付けられた保持枠１４の本体ケース２４に対する着脱機構は種々の構造が採用し得るが、一例として図１に示すように、本体ケース２４の上部側面に横方向に沿って突出入自在に取り付けられた係合突起６２と、この係合突起６２を常時突出方向へ付勢するバネ６４とを設け、一方保持枠１４の内面にはこの係合突起６２と係合する被係合突起６６を設ける機構を採用し得る。
この着脱機構では、保持枠１４を装着する場合には、保持枠１４を本体ケース２４に圧入すると、被係合突起６６が係合突起６２をバネ６４の付勢力に抗して本体ケース２４内へ押しながら係合突起６２を乗り越え、係合突起６２と係合し、装着が完了する。装着された保持枠１４はバネ６４の付勢力により突出する係合突起６２によって本体ケース２４から容易に外れなくなる。
また、本体ケース２４から取り外す場合には、逆に保持枠１４を非係合方向へ引っ張ることにより、非係合突起６６が係合突起６２をバネ６４の付勢力に抗して本体ケース２４内へ押しながら係合突起６２を乗り越えて外れるのである。
【００１６】
次に、本発明の特徴点である内刃５２の詳細な構成について図２〜図３を用いて説明する。
内刃５２は対向して配された一対の支持壁部５２ａ（本実施の形態では一例としてＴ字状）と、一対の支持壁部５２ａの上端間に掛け渡され、支持壁部５２ａの長手方向Ａに沿って複数並設された断面逆Ｕ字状の小刃５２ｂとから成る。この内刃５２の製造方法は従来例と同様であり、金属板体を断面逆Ｕ字状に屈曲し、屈曲部Ｂに、屈曲部Ｂの長手方向Ａを横切るスリット５２ｃを間隔（図２では一定間隔）を空けて複数開口して、屈曲部Ｂにおいて残った逆Ｕ字状の薄肉部を小刃５２ｂとして形成する。また同様に、金属板体の屈曲された先端側に位置する一対の延出部分Ｃが一対の支持壁部５２ａとして形成される。
なお、スリット５２ｃの方向は屈曲部Ｂの長手方向Ａと直交する方向としても良いし、また図４に示すように屈曲部Ｂの長手方向Ａと直交する方向に対して若干傾けて斜めに設ける場合もある。
【００１７】
ここで、本発明の内刃５２と従来の内刃１６との相違点は図３に示すように、内刃５２の一対の支持壁部５２ａには、従来の内刃１６のように連結ピン３４や連結ブロック４０等、支持壁部５２ａ間に掛け渡される部材が小刃５２ｂを除き一切取り付けられていない点にある。
そして内刃５２がこのような構造を有するため、内刃５２の内面、すなわち小刃５２ｂの内面Ｄや一対の支持壁部５２ａの対向する内面Ｅに付着した髭をブラシで払って清掃する場合に、使用者は全体として屈曲した形状の内刃５２の内部空間６８内で清掃用ブラシを自由に移動させながら内刃５２の一端側から他端側にかけて連続して清掃できるために、従来のように連結ピン３４や連結ブロック４０があった場合にはこれらが邪魔をしてブラシを当てにくかった内側の部位も簡単、かつ確実に清掃が行える。
【００１８】
（第２の実施の形態）
また、上述した実施の形態での内刃５２は一対の支持壁部５２ａ間に掛け渡されるものは小刃５２ｂのみであったが、図５や図６に示すような構成の内刃５２も可能である。
まず、図５の内刃５２は、対向して配された一対の支持壁部５２ａと、一対の支持壁部５２ａの上端間に掛け渡され、支持壁部５２ａの長手方向Ａに沿って複数並設された断面逆Ｕ字状の小刃５２ｂと、さらに小刃５２ｂと同じ断面形状に形成されて一対の支持壁部５２ａ間に掛け渡された連結アーチ７０とから構成されている。
【００１９】
すなわち、一対の支持壁部５２ａ間には、小刃５２ｂおよび連結アーチ７０のみが掛け渡されているのである。そして、この連結アーチ７０は一対の支持壁部５２ａ間の連結強度を確保するために設けられており、例えば内刃５２が一つの金属板体から製造される場合には、従来例や第１の実施の形態で説明した製造方法と同様に、屈曲して形成された金属板体の屈曲部Ｂにスリット５２ｃを間隔を空けて複数開口して、屈曲部Ｂにおいて残った逆Ｕ字状の薄肉部を小刃５２ｂとして形成すると共に、一部のスリット５２ｃ間、若しくは屈曲部Ｂの両端と当該端部に最も近いスリット５２ｃとの間の間隔Ｆを小刃５２ｂの厚さＧよりも肉厚に形成し、この肉厚部を連結アーチ７０とすることで形成できる。
【００２０】
本実施の形態では、連結アーチ７０は小刃５２ｂの両端側に１つずつ設けているが、さらに内刃５２の強度を求める場合には小刃５２ｂ間にも連結アーチ７０を設けて連結アーチ７０の数を増やすようにしても良い。
なお、金属板体の屈曲部Ｂ以外の一対の延出部分Ｃは互いに対向する一対の支持壁部５２ａとして形成される点は第１の実施の形態と同様である。
この構成によれば、一対の支持壁部５２ａ間には小刃５２ｂ以外に小刃５２ｂよりも剛性のある連結アーチ７０が掛け渡されているため、小刃５２ｂのみの場合に比べて内刃５２全体の強度を向上させることができる。
【００２１】
また、内刃５２の支持壁部５２ａを合成樹脂材料を用いて成形により製造する場合には、図６〜図８に示すように一対の支持壁部５２ａと連結アーチ７０は合成樹脂材料を用いて一体成形し、小刃５２ｂは一対の支持壁部５２ａ間にインサート成形により取り付ける方法で実現できる。図７は図６のＨ−Ｈ断面図であり、弧状（逆Ｕ字状）に形成された小刃５２ｂの両端部（図７中の下端部）が合成樹脂材料で構成された一対の支持壁部５２ａの上端部に埋め込まれている。また、図８は図６のＪ−Ｊ断面図であり、連結アーチ７０の断面形状を示し、その形状は小刃５２ｂと略同じ断面形状に形成される。
なお、外刃１２の内面と小刃５２ｂの外面が当接して摺動する必要があることから、連結アーチ７０の外面が小刃５２ｂの外面よりも突出する断面形状は不可であることから、ここで言う「略同じ断面形状」とは、連結アーチ７０の断面形状が小刃５２ｂの断面形状と同一断面形状であることは当然に含むと共に、同一断面形状ではなくても連結アーチ７０の外面が小刃５２ｂの外面よりも内側となり、かつ断面が略逆Ｕ字状に形成された断面形状も含む。
これにより、第１の実施の形態と同様に、内刃５２を側面（屈曲部Ｂの端部方向）から見た場合に、内刃５２は全体として図３と同様に断面逆Ｕ字状に形成されるため、髭をブラシで払って清掃する場合に、内刃５２の内部空間６８内でブラシを自由に移動させることができ、内刃５２の内面、すなわち小刃５２ｂの内面Ｄや一対の支持壁部５２ａの対向する内面Ｅに付着した髭をブラシで払って清掃することが簡単、かつ確実に行える。
【００２２】
続いて、上述した第１の実施の形態、第２の実施の形態のような内刃５２と駆動機構２８との連結構造について図９〜図１１を用いて説明する。
本発明に係る内刃５２の一対の支持壁部５２ａは屈曲部Ｂに形成された小刃５２ｂや連結アーチ７０以外では相互に連結されていないため、両方の支持壁部５２ａを駆動機構２８と連結させる必要がある。
そこで、一対の支持壁部５２ａの駆動機構２８側の端部（図２や図５、図６に於ける下端部）の両側面に凸部５２ｅを設けて、当該端部を逆Ｔ字状に形成する。
一方、駆動機構２８の一部を構成する振動子５４の上面には図９や図１０に示すように、一対の支持壁部５２ａの逆Ｔ字状の端部と連結する連結台５６を設ける。連結台５６は直方体に形成されると共に、中央部分には上方からコイルスプリング７２が装着可能な筒状凹部７４が形成され、またこの筒状凹部７４を挟むように両側面には一対の支持壁部５２ａの逆Ｔ字状の端部が嵌まり込むための上下方向に伸びる溝部７６が形成されている。また、各溝部７６の内部の上下方向に沿った対向する側面には一対の支持壁部５２ａの端部の両側面の凸部５２ｅと係合する連結凸部７６ａが形成されている。
なお、各溝部７６間の間隔は、コイルスプリング７２の直径よりも狭く、かつ内刃５２の一対の支持壁部５２ａの間隔に合わせて設定されているため、各溝部７６と筒状凹部７４とは連通した状態であり、筒状凹部７４に装着されたコイルスプリング７２はその一部が各溝部７６に突出する構成となる。
【００２３】
駆動機構２８に内刃５２を連結する場合には、一対の支持壁部５２ａの駆動機構２８側の逆Ｔ字状の下端部を、連結台５６の各溝部７６内に嵌め込んだ後に内刃５２を連結台５６方向へ押す。
この際に一対の支持壁部５２ａの下端部は連結台５６に装着されたコイルスプリング７２の一部と当接するが、コイルスプリング７２を押し縮めながら押し込み、凸部５２ｅを連結凸部７６ａ乗り越えてさらに下方に移動させる。これにより、図１１に示すように凸部５２ｅと連結凸部７６ａとが係合し、内刃５２は連結台５６と連結される。この状態では内刃５２は常時コイルスプリング７２により上方へ付勢されているため、駆動機構２８により往復動されても上下方向へのブレはなく、また髭剃りの際に外刃１２を介して皮膚から下方への押圧力が加わった場合でも内刃５２が下方へ移動してその押圧力を吸収でき、かつ皮膚との密着度も確保される。
また、内刃５２を連結台５６から取り外す場合には、内刃５２を連結台５６から離反する方向へ引き抜き、凸部５２ｅと連結凸部７６ａとの係合を解除することで容易に外せる。
【００２４】
また、連結台５６の他の実施の形態としては図１２〜図１４に示す構造のものが採用し得る。
この連結台５６は、互いの外側面７８ａ同志の間隔が、内刃５２の一対の支持壁部５２ａの対向する内面の間隔に合うように所定の間隔を空けて立設された２つの弾性片７８と、両弾性片７８の外側面７８ａの中途部分に側方に向けて突設された連結凸部７８ｂと、各連結凸部７８ｂと２つの弾性片７８に外嵌されたコイルスプリング７２とで構成されている。なお、本実施の形態のように柱状体の中心に上面から所定距離だけ下方に向けて切り込みを入れ、２つの弾性片７８を形成するようにしても良いし、連結台５６上に直接弾性片７８を立設する構成でも良い。
なお、内刃５２の一対の支持壁部５２ａの下端部には、連結凸部７８ｂが嵌まり込む長溝５２ｆを形成しておく（図１５参照）。
【００２５】
連結台５６への内刃５２の取付方法は、一対の支持壁部５２ａの下端部を、その内面が２つの弾性片７８の各外側面７８ａと向かい合うように位置決めしながら、内刃５２を連結台５６方向へ押し込む。この際に、一対の支持壁部５２ａの下端部が連結台５６に装着されたコイルスプリング７２と当接するが、コイルスプリング７２を押し縮めながら押し込む。
次に、一対の支持壁部５２ａの下端部が連結凸部７８ｂと当接したら、さらに内刃５２を下方に押動させることにより、両弾性片７８が押されて内側に倒れる。これにより、連結凸部７８ｂが一対の支持壁部５２ａの下端部の内面側に移動し、長溝５２ｆ内に達したら各弾性片７８が自らの弾性力により基の位置に復帰し、連結凸部７８ｂが長溝５２ｆ内に嵌まり込む。これにより、内刃５２は連結台５６と連結される。
また、内刃５２を連結台５６から取り外す場合には、内刃５２を連結台５６から力を加えながら引き離せばよい。引き離す際に、連結凸部７８ｂが長溝５２ｆの内周縁と当接するが、連結凸部７８ｂから力を受けた各弾性片７８が内側に倒れて両連結凸部７８ｂが両長溝５２ｆから外れるのである。
【００２６】
また、上記の往復動式電気かみそりの内刃５２において、図１６に示すように外刃１２と接触せず、髭の切断に関係のない小刃５２ｂの内面ＤのコーナーＤ１を面取りすることによって、清掃時にブラシが当たってもひっかかることがなくなり、スムーズな清掃が行える。この面取り加工は、プレス加工や放電加工により行うことができる。
また、本発明に係る内刃の構造は、上述した図２、図４、図５および図６に示すものに限らず、例えば図１７に示すようにスリット５２ｃを斜めに形成して小刃５２ｂを支持壁部５２ａの長手方向Ａと直交する方向に対して所定角度αだけ傾けて成る内刃にも適用できる。また、図１８に示すようにスリット５２ｃの間隔が支持壁部５２ａの長手方向Ａに沿って疎密となるように形成し、小刃５２ｂを疎密に形成した内刃にも適用できる。
【００２７】
以上、本発明の好適な実施例について種々述べてきたが、本発明は上述する実施例に限定されるものではなく、発明の精神を逸脱しない範囲で多くの改変を施し得るのはもちろんである。
【００２８】
【発明の効果】
本発明に係る請求項１乃至請求項２の往復動式電気かみそりの刃を用いると、内刃を駆動機構から取り外して、その内面、すなわち小刃の内面や一対の支持壁部の対向する内面に付着した髭をブラシで払って清掃する場合に、従来では一対の支持壁部間に連結ピンや連結ブロックがあったためにこれらが邪魔をしてブラシの移動を妨げて清掃が行いにくかったが、一対の支持壁部間の長手方向の一端側から他端側にかけて掛け渡されているのは小刃のみであって全体として逆Ｕ字状に屈曲した外形に内刃が形成されているため、内刃の内部空間内でブラシを自由に移動させながら内刃の一端側から他端側にかけて連続して内面に付着した髭の清掃でき、清掃が簡単、かつ確実に行えるという効果がある。
また、請求項３乃至請求項５の往復動式電気かみそりの刃を用いると、一対の支持壁部間には、その長手方向の一端側から他端側にかけて小刃以外に小刃と同じ断面形状であって前記小刃の厚さよりも肉厚に形成された連結アーチのみが掛け渡されているため、ブラシが内刃の内部空間内で自由に移動できて内刃の内面に付着した髭の清掃が行いやすい。さらに、小刃のみの場合に比べて連結アーチが一対の支持壁部間に掛け渡されているために内刃全体の強度が向上するという効果を奏する。
また、このような内刃を有する往復動式電気かみそりを用いると、内刃の清掃が簡単に行えるために、溜まった髭の清掃を行うことに抵抗を感じなくなり、頻繁に電気かみそりの清掃がなされ、外刃や内刃が綺麗な状態で髭を剃れるので、切れ味が良く気分がよくなると共に、外刃や内刃自体の劣化の進行も遅くなるという効果もある。
【図面の簡単な説明】
【図１】本発明に係る往復動式電気かみそりの内刃を有する電気かみそりの構造を示す部分拡大断面図である。
【図２】第１の実施の形態の往復動式電気かみそりの内刃の構造を示す正面図である。
【図３】図２の側面図である。
【図４】図２のスリットおよび小刃を斜めに形成した場合の平面図である。
【図５】第２の実施の形態の往復動式電気かみそりの内刃の構造を示す正面図である。
【図６】第２の実施の形態の往復動式電気かみそりの内刃の他の例の構造を示す正面図である。
【図７】図６の小刃の一対の支持壁部への取り付け構造を示すＨ−Ｈ矢視図である。
【図８】図６の連結アーチと一対の支持壁部との連結構造を示すＪ−Ｊ矢視図である。
【図９】内刃の駆動機構の一部を構成する振動子と連結台の構造を示す正面図である。
【図１０】図９の平面図である。
【図１１】図９に内刃を連結した状態を示す要部正面図である。
【図１２】内刃の駆動機構の一部を構成する振動子と連結台の他の構造を示す正面図である。
【図１３】図１２の平面図である。
【図１４】図１２の側面図である。
【図１５】図１２に内刃を連結した状態を示す要部正面図である。
【図１６】内刃の小刃の内面のコーナー部分を示す要部拡大斜視図である。
【図１７】他の実施の形態の往復動式電気かみそりの内刃の構造を示す正面図である。
【図１８】他の実施の形態の往復動式電気かみそりの内刃の構造を示す正面図である。
【図１９】従来の内刃を有する往復動式電気かみそりの構造を示す分解斜視図である。
【図２０】従来の内刃の他の例の構造を示す斜視図である。
【符号の説明】
１２  外刃
１４  保持枠
２０  電動モータ
２４  本体ケース
２８  駆動機構
５０  往復動式電気かみそり
５２  内刃
５２ａ  一対の支持壁部
５２ｂ  小刃
５２ｃ  スリット
５４  振動子
５６  連結台
【図１】
0003942694.tif 000002
【図２】
0003942694.tif 000003
【図３】
0003942694.tif 000004
【図４】
0003942694.tif 000005
【図５】
0003942694.tif 000006
【図６】
0003942694.tif 000007
【図７】
0003942694.tif 000008
【図８】
0003942694.tif 000009
【図９】
0003942694.tif 000010
【図１０】
0003942694.tif 000011
【図１１】
0003942694.tif 000012
【図１２】
0003942694.tif 000013
【図１３】
0003942694.tif 000014
【図１４】
0003942694.tif 000015
【図１５】
0003942694.tif 000016
【図１６】
0003942694.tif 000017
【図１７】
0003942694.tif 000018
【図１８】
0003942694.tif 000019
【図１９】
0003942694.tif 000020
【図２０】
0003942694.tif 000021